(57)【要約】【課題】  従来の映像伝送システムは、伝送距離が７〜８ｍ程度の制約の問題がある。また、映像伝送線路である下り回線には、音声信号のメタル配線等が必要であり、上り回線には、リモコン制御のコマンド通信等のためのメタル配線等が必要である。【解決手段】  ディジタル映像出力を有するチューナ部１０は、非圧縮のベースバンドディジタルＨＤ映像信号とディジタル音声信号などを合成し多重化することで得られるビットストリームを光高速シリアル伝送信号に変換して、光ケーブル２０ａ、光無線送信部３０、光無線受信部５０及び光ケーブル２０ｂを用いてシリアル伝送する。表示パネル部６０は、光高速シリアル伝送信号を受信した後、映像信号や音声信号等を分離し、映像信号と音声信号それぞれを再生する。表示パネル部６０から出力される上り回線としての制御信号は、光信号に変換されて上記と逆の経路を経てチューナ部１０により受信される。【選択図】            図１
2005167867.tif 000002
【特許請求の範囲】
【請求項１】
ディジタル映像信号又はディジタル信号にディジタル音声信号を多重化したビットストリームを高速送信インタフェースで電気／光変換して光高速シリアル伝送信号を出力する送信装置と、前記送信装置から送信された前記光高速シリアル伝送信号を伝送する第１の伝送手段と、前記第１の伝送手段により伝送された前記光高速シリアル伝送信号を高速受信インタフェースで受信して光／電気変換後、所定の信号処理を施し、映像又は映像及び音声を再生する表示装置とからなる光伝送システムであって、
前記送信装置は、前記高速送信インタフェースとして第１の光送信モジュールと第１の光コネクタを具備し、
前記表示装置は、前記高速受信インタフェースとして第１の光受信モジュールと第２の光コネクタを具備し、
前記第１の伝送手段は、
前記第１の光受信モジュール及び前記第２の光コネクタと同一の特性の第２の光受信モジュール及び第３の光コネクタを備えた第１の入力インタフェースと、前記第２の光受信モジュールにより受信し、光／電気変換して得られた前記送信装置からの前記ビットストリームを再度電気／光変換して光無線伝送する第１の光無線送信手段とを具備する第１の光無線伝送部と、
前記第１の光コネクタと前記第３の光コネクタとを接続し、前記送信装置から出力される光信号を前記第１の光無線送信部の前記第２の光受信モジュールに供給する第１の光ケーブルと、
前記第１の光送信モジュール及び第１の光コネクタと同一の特性の第２の光送信モジュール及び第４の光コネクタを備えた第１の出力インタフェースと、前記第１の光無線送信手段により送信された光無線信号を受信し、光／電気変換して前記ビットストリームを得て前記第２の光送信モジュールへ供給する第１の光無線受信手段とを具備する第２の光無線伝送部と、
前記第４の光コネクタと前記第２の光コネクタとを接続し、前記第１の出力インタフェースから出力される光信号を前記表示装置の前記第１の光受信モジュールに供給する第２の光ケーブルと
を有することを特徴とする光伝送システム。
【請求項２】
前記送信装置から前記第１の伝送手段を介して前記表示装置へ到る回線を下り回線としたとき、該下り回線と全く逆の光伝送路である前記表示装置から第２の伝送手段を介して前記送信装置へ到る上り回線を有し、該上り回線を介して、前記表示装置から前記送信装置へ映像や音声に関するシステム制御信号や前記表示装置で発生するリモコンコマンド制御信号を多重化した多重化制御信号を伝送する光伝送システムであって、
前記送信装置は、第３の光受信モジュールと第５の光コネクタを具備し、
前記表示装置は、第３の光送信モジュールと第６の光コネクタを具備し、
前記第２の伝送手段は、
前記第３の光受信モジュール及び前記第５の光コネクタと同一の特性の第４の光受信モジュール及び第７の光コネクタを備えた第２の入力インタフェースと、前記第４の光受信モジュールにより受信し、光／電気変換して得られた前記表示装置からの前記多重化制御信号を再度電気／光変換して光無線伝送する第２の光無線送信手段とを具備する第３の光無線伝送部と、
前記第６の光コネクタと前記第７の光コネクタとを接続し、前記表示装置から出力される光信号を前記第３の光無線伝送部の前記第４の光受信モジュールに供給する第３の光ケーブルと、
前記第３の光送信モジュール及び第６の光コネクタと同一の特性の第４の光送信モジュール及び第８の光コネクタを備えた第２の出力インタフェースと、前記第２の光無線送信手段により送信された光無線信号を受信し、光／電気変換して前記多重化制御信号を得て前記第４の光送信モジュールへ供給する第２の光無線受信手段とを具備する第４の光無線伝送部と、
前記第８の光コネクタと前記第５の光コネクタとを接続し、前記第２の出力インタフェースから出力される光信号を前記送信装置の前記第３の光受信モジュールに供給する第４の光ケーブルと
を有し、前記送信装置と前記パネル表示部との間で双方向伝送することを特徴とする請求項１記載の光伝送システム。
【請求項３】
前記送信装置から前記第１の伝送手段を介して前記表示装置へ到る前記下り回線は、非圧縮のベースバンドディジタルＨＤ映像信号を伝送するのに必要な程度の高速伝送対応回線であり、前記表示装置から前記第２の伝送手段を介して前記送信装置へ到る前記上り回線は、前記多重化制御信号を伝送するのに十分な前記高速伝送対応回線より低速度の回線であることを特徴とする請求項２記載の光伝送システム。
【請求項４】
前記第１の光無線伝送部と前記第４の光無線伝送部は一体化されて光無線送信部を構成すると共に、前記第２の光無線伝送部と前記第３の光無線伝送部は一体化されて光無線受信部を構成し、前記送信装置と前記光無線送信部との間にＩ２Ｃ又はＲＳ−２３２Ｃ等の第１の双方向通信用ラインと第１のグランドラインが対となった第１のメタルケーブルを接続すると共に、前記表示装置と前記光無線受信部との間にＩ２Ｃ又はＲＳ−２３２Ｃ等の第２の双方向通信用ラインと第２のグランドラインとが対となった第２のメタルケーブルを接続し、前記第１のメタルケーブルは、前記第１の光ケーブル及び前記第４の光ケーブルと一体化されており、前記第２のメタルケーブルは、前記第２の光ケーブル及び前記第３の光ケーブルと一体化されていることを特徴とする請求項２又は３記載の光伝送システム。
【請求項５】
前記第１の光無線伝送部と前記第４の光無線伝送部は一体化されて光無線送信部を構成すると共に、前記第２の光無線伝送部と前記第３の光無線伝送部は一体化されて光無線受信部を構成し、前記送信装置と前記光無線送信部との間に第１の電源供給ラインと第３のグランドラインが対となった第３のメタルケーブルを接続すると共に、前記表示装置と前記光無線受信部との間に第２の電源供給ラインと第４のグランドラインとが対となった第４のメタルケーブルを接続し、前記第３のメタルケーブルは、前記第１の光ケーブル及び前記第４の光ケーブルと一体化されており、前記第４のメタルケーブルは、前記第２の光ケーブル及び前記第３の光ケーブルと一体化されていることを特徴とする請求項２乃至４のうちいずれか一項記載の光伝送システム。
【発明の詳細な説明】
【技術分野】
【０００１】
本発明は光伝送システムに係り、特にディジタル映像出力を有するＴＶ放送受信機あるいはビデオ再生機とディジタル映像入力を有するＴＶモニタ／ビデオプロジェクタとの間の入出力インタフェースと伝送ケーブルを有する光伝送システムに関する。
【背景技術】
【０００２】
従来から、ディジタル映像信号を出力するパーソナルコンピュータと液晶（ＬＣＤ）モニタを接続するインタフェースとして、ＤＶＩ（Digital Visual Interface）規格がある。このＤＶＩ規格は、赤（Ｒ），緑（Ｇ），青（Ｂ）の三原色の映像信号とクロック信号をメタルケーブルにて伝送するための規格である。
【０００３】
ところで、近年、ディジタルＨＤＴＶ（High Definition Television）放送受信機とプラズマディスプレイパネル（ＰＤＰ）とを組み合わせたＴＶ受像機システムが民生用機器として普及してきている。このＴＶ受像機システムとしては、ＨＤＴＶ放送受信機とＰＤＰとが別体型と一体型のシステムに分類される。このうち、別体型システムにおいては、ＨＤＴＶ放送受信機とＰＤＰ間の接続形態として、前記ＤＶＩ規格による映像信号とクロック信号伝送用のケーブルと音声信号やリモコンコマンド等の制御データ信号を伝送するための補助ケーブルを一体化し、ケーブル両端コネクタ部がＤＶＩ専用コネクタと補助ケーブル用コネクタとにそれぞれ二股に分かれたシステムケーブルにて接続される。
【０００４】
図６は従来の光伝送システムの一例の構成図を示す。同図において、チューナ部７０は、上記のＨＤＴＶ放送受信機のチューナ部で、また、表示パネル部８０は、上記のＰＤＰの表示パネル部である。これらチューナ部７０のディジタル映像信号は、映像信号処理部７１で所望チャンネルのディジタル映像信号が選局され、ＤＶＩ送信部７３によりＤＶＩ規格のフォーマットに変換された後、ＤＶＩケーブル接続コネクタ７６、ＤＶＩ信号接続用メタルケーブル４及びＤＶＩケーブル接続コネクタ８９を介して表示パネル部８０内のＤＶＩ受信部８１により受信される。ＤＶＩ受信部８１で受信された映像信号は、映像信号処理部８２により処理され、更にＬＶＤＳ（Low Voltage Differential Signaling）８３に供給されて所定のレベルとされた後、表示パネル８４に供給されて表示される。
【０００５】
一方、音声信号とマイコン信号は映像信号を伝送するＤＶＩ信号接続用メタルケーブル４とは別のＤＶＩシステムケーブル補助信号線メタルケーブル５を用いてチューナ部７０から表示パネル部８０へ伝送する。すなわち、例えばＤＶＩシステムケーブル補助信号線メタルケーブル５は、ＲＳ−２３２Ｃ双方向通信用メタルケーブル６及びグランド線用メタルケーブル７と、アナログ音声信号供給用メタルケーブル８及び音声信号用グランド線メタルケーブル９とが一体となったケーブルである。
【０００６】
チューナ部７０のアナログ音声信号は、音声信号処理部７２により所望チャンネルの音声信号が選局された後、増幅器７４で増幅され、更にＤＶＩシステムケーブル用補助コネクタ７７とアナログ音声信号供給用メタルケーブル８と表示パネル部８０のＤＶＩシステムケーブル用補助コネクタ８Ａとを介して増幅器８５に供給され、ここで増幅されてスピーカ８６より発音される。また、チューナ部７０内のマイクロコンピュータ（以下、マイコンと略す）７５は、ＤＶＩシステムケーブル用補助コネクタ７７とＲＳ−２３２Ｃ双方向通信用メタルケーブル７とＤＶＩシステムケーブル用補助コネクタ８Ａとを介して表示パネル部８０内のマイコン８８と双方向に接続されている。マイコン８８は、リモコン等制御信号処理部８７からの制御信号により制御される。
【０００７】
ここで、ＤＶＩケーブル接続コネクタ７６及び８９のピン仕様は表１に示される。
【０００８】
【表１】
2005167867.tif 000003
上記の表１中、ＴＭＤＳ（Transmission Minimized Differential Signaling）は、公知のディジタル伝送方式である。この表１のＤＶＩケーブル接続コネクタ７６を採用することにより、ベースバンドディジタルＨＤ映像信号を伝送できる。
【０００９】
ここで、ベースバンドディジタルＨＤ映像（ベースバンドとは伝送路の特性に合わせた変調を行う前の元の信号をいい、テレビジョンの映像信号や音声信号のことであり、ここでは映像信号をいう。）を伝送するディジタルインタフェース方式としては、伝送速度が数百Ｍｂｐｓ〜数Ｇｂｐｓの高速伝送が要求されるため、上記のシステムケーブルとしては、性能の良い厳密に管理されたケーブルでも７〜８ｍ程度が限度である。
【００１０】
そのため、数十ｍ以上までもの伝送を可能とする方式として、ＤＶＩケーブル内のディジタルインタフェース信号を、赤（Ｒ），緑（Ｇ），青（Ｂ）の三原色の映像信号とクロック信号を光ファイバーケーブルで構成し、残りのインタフェース信号はメタル配線とする光ファイバーケーブルとメタル線との混合ケーブルにて伝送する伝送システムも従来知られている（例えば、特許文献１参照）。
【００１１】
また、音声信号を伝送するに当たり、新たに別途メタル配線により伝送せずに、ＤＶＩ規格のケーブルを使用して、ディジタル映像信号のブランキング期間にディジタル音声信号を多重化することで伝送する伝送システムも従来知られている（例えば、特許文献２参照）。
【００１２】
更に、最近規格化されたＨＤＭＩ（High-Definition Multimedia Interface）規格は、ＤＶＩ規格を新たにＡＶ向けに仕様をアレンジした規格であり、Ｒ，Ｇ，Ｂの三原色信号だけでなく、コンポーネントの映像信号も伝送可能であり、非圧縮の音声信号も映像信号のブランキング期間に多重化して伝送可能な規格となっている。
【００１３】
【特許文献１】特開２００２−３６６３４０号公報
【特許文献２】特開２００２−２３２３７７号公報
【発明の開示】
【発明が解決しようとする課題】
【００１４】
しかしながら、特許文献１記載の従来の光伝送システムは、ＤＶＩ規格に準拠することで、伝送可能な映像信号がＲ，Ｇ，Ｂの三原色信号に限定されるため、ＡＶシステムに応用するには、ＴＶ信号として一般的な輝度信号Ｙと２種類の色差信号Ｐｂ，Ｐｒからなるコンポーネント信号を扱うことができない。しかも、この従来の光伝送システムでは、音声信号は別途音声ケーブルを接続する必要が生じ、単一駆動型の信号伝送路での長距離伝送は音声品質の劣化を招くため、差動駆動型の信号伝送路を確保する必要が生じる。
【００１５】
これを解決する手段として、音声信号は別途電波による無線伝送や赤外光による無線伝送が考えられるが、システムが煩雑になりコストアップにつながる。更に、光ファイバーケーブル及び光送受信モジュールがＲ，Ｇ，Ｂ，クロック用として最低４組必要となり、やはり煩雑さとコストアップにつながる問題点の他に、ＡＶ機器としては前記パネル側から前記受信機側へのリモコン制御のコマンド通信等の伝送路の確保も必要となることから、上り回線用としてのメタル配線等による接続が別途必要である。
【００１６】
一方、特許文献２に記載の従来の音声多重化伝送システムは、ＤＶＩケーブルによるメタル伝送を前提としているため、前記理由により、伝送距離が７〜８ｍの制約の問題があること、前記特許文献１と同様、リモコン制御のコマンド通信等の伝送路の確保も必要となることから、上り回線用としてのメタル配線等による接続が別途必要である。
【００１７】
また、ＨＤＭＩ規格による伝送方法では、ＨＤＭＩ規格の伝送路にＩｎｔｅｒ−ＩＣバス（Ｉ２Ｃ）による制御データ信号の伝送路が含まれており、メタル配線での通信条件を考慮するとケーブル長の限界が約１０ｍ程度と考えられること、伝送距離改善策として前記特許文献１に記載のＤＶＩケーブルを光ファイバーケーブル及び光送受信モジュールの接続による伝送方法のＨＤＭＩ規格への応用展開も考えられるが、リモコン制御のコマンド通信等の伝送路の確保も必要となることから、上り回線用としてのメタル配線等による接続が別途必要となること、光ファイバーケーブル及び光送受信モジュールがＲ，Ｇ，Ｂ，クロック用として最低４組必要となり、やはり煩雑さとコストアップにつながることは避けられない。
【００１８】
本発明は以上の点に鑑みなされたもので、伝送信号として扱うディジタル映像信号の伝送フォーマットは、ＤＶＩ規格やＨＤＭＩ規格に準拠したＲ，Ｇ，Ｂ，クロックあるいはＹ，Ｐｂ，Ｐｒ，クロックのそれぞれ独立したデータ信号による伝送フォーマットではなく、ディジタル映像信号とディジタル音声信号を少なくとも多重化した所定フォーマットのシリアルのビットストリーム信号の光高速シリアル伝送信号を単一光での下り回線で送信機から表示パネル部へ伝送し、一方、ＡＶ機器としては避けられない表示パネル部から送信機へのリモコン制御のコマンド通信等の伝送路を単一光での上り回線として確保することで、双方向通信としての最低限の光送受信モジュール構成と光ケーブルを用いて伝送し得る安価で小規模な光伝送システムを提供することを目的とする。
【００１９】
また、本発明の他の目的は、メタル配線での伝送路長よりも長距離の光伝送を行い得る光伝送システムを提供することにある。
【課題を解決するための手段】
【００２０】
上記の目的を達成するため、第１の発明は、ディジタル映像信号又はディジタル信号にディジタル音声信号を多重化したビットストリームを高速送信インタフェースで電気／光変換して光高速シリアル伝送信号を出力する送信装置と、送信装置から送信された光高速シリアル伝送信号を伝送する第１の伝送手段と、第１の伝送手段により伝送された光高速シリアル伝送信号を高速受信インタフェースで受信して光／電気変換後、所定の信号処理を施し、映像又は映像及び音声を再生する表示装置とからなる光伝送システムであって、送信装置は、高速送信インタフェースとして第１の光送信モジュールと第１の光コネクタを具備し、表示装置は、高速受信インタフェースとして第１の光受信モジュールと第２の光コネクタを具備する。
【００２１】
また、上記の第１の伝送手段は、第１の光受信モジュール及び第２の光コネクタと同一の特性の第２の光受信モジュール及び第３の光コネクタを備えた第１の入力インタフェースと、第２の光受信モジュールにより受信し、光／電気変換して得られた送信装置からのビットストリームを再度電気／光変換して光無線伝送する第１の光無線送信手段とを具備する第１の光無線伝送部と、第１の光コネクタと第３の光コネクタとを接続し、送信装置から出力される光信号を第１の光無線送信部の第２の光受信モジュールに供給する第１の光ケーブルと、第１の光送信モジュール及び第１の光コネクタと同一の特性の第２の光送信モジュール及び第４の光コネクタを備えた第１の出力インタフェースと、第１の光無線送信手段により送信された光無線信号を受信し、光／電気変換してビットストリームを得て第２の光送信モジュールへ供給する第１の光無線受信手段とを具備する第２の光無線伝送部と、第４の光コネクタと第２の光コネクタとを接続し、第１の出力インタフェースから出力される光信号を表示装置の第１の光受信モジュールに供給する第２の光ケーブルとを有することを特徴とする。
【００２２】
この発明では、ディジタル映像信号にディジタル音声信号を多重化したビットストリームを電気／光変換して得た光高速シリアル伝送信号が送信装置から出力され、第１の伝送手段を介して表示装置へシリアル伝送し、ここで光／電気変換後、所定の信号処理を施し、映像と音声を再生させる光伝送システムであり、上記の第１の伝送手段を、表示装置の入力インタフェースと同じ特性の第１の入力インタフェースを備え、送信装置からの光信号を受信して再度電気／光変換して光無線伝送する第１の光無線伝送部と、この第１の光無線伝送部から出力される光信号を受信して光／電気変換した後、送信装置の出力インタフェースと同じ特性の第１の出力インタフェースにより再度電気／光変換して表示装置へ伝送する第２の光無線伝送部とを含む構成としたため、送信装置と第１の光無線伝送部の間の第１の光ケーブルと、第２の光無線伝送部と表示装置との間の第２の光ケーブルの計２本の光ケーブルと、上記の第１及び第２の光無線伝送部からなる第１の伝送手段を用いた光伝送ができる。
【００２３】
また、この発明では、第１の光無線伝送部の第１の入力インタフェースが表示装置の入力インタフェースと同じ特性であり、また、第２の光無線伝送部の第１の出力インタフェースが送信装置の出力インタフェースと同じ特性であるため、第１及び第２の光無線伝送部を省略して送信装置の第１の出力インタフェースと表示装置の第１の入力インタフェースとの間を直接に光ケーブルで接続して、送信装置からの光高速シリアル伝送信号を表示装置に伝送することもできる。
【００２４】
また、上記の目的を達成するため、第２の発明の光伝送システムは、送信装置から第１の伝送手段を介して表示装置へ到る回線を下り回線としたとき、下り回線と全く逆の光伝送路である表示装置から第２の伝送手段を介して送信装置へ到る上り回線を有し、上り回線を介して、表示装置から送信装置へ映像や音声に関するシステム制御信号や表示装置で発生するリモコンコマンド制御信号を多重化した多重化制御信号を伝送する光伝送システムであって、送信装置は、第３の光受信モジュールと第５の光コネクタを具備し、表示装置は、第３の光送信モジュールと第６の光コネクタを具備し、第２の伝送手段は、第３及び第４の光無線伝送部と、表示装置と第３の光無線伝送部との間を接続する第３の光ケーブルと、第４の光無線伝送部と送信装置との間を接続する第４の光ケーブルとを有する構成としたものである。
【００２５】
この発明では、表示装置から第２の伝送手段を介して送信装置へ到る上り回線の構成を、第１の発明の下り回線の構成と同様の構成とし、また、上記の第２の伝送手段を、送信装置の多重化制御信号用の入力インタフェースと同じ特性の第２の入力インタフェースを備え、表示装置からの光信号を受信して再度電気／光変換して光無線伝送する第３の光無線伝送部と、この第３の光無線伝送部から出力される光信号を受信して光／電気変換した後、表示装置の多重化制御信号用出力インタフェースと同じ特性の第２の出力インタフェースにより再度電気／光変換して送信装置へ伝送する第４の光無線伝送部とを含む構成としたため、表示装置と第３の光無線伝送部の間の第３の光ケーブルと、第４の光無線伝送部と送信装置との間の第４の光ケーブルとからなる構成とし、第２の伝送手段を用いた多重化制御信号の光伝送ができる。
【００２６】
また、この発明では、第３の光無線伝送部の第２の入力インタフェースが送信装置の多重化制御信号用入力インタフェースと同じ特性であり、また、第４の光無線伝送部の第２の出力インタフェースが表示装置の多重化制御信号用出力インタフェースと同じ特性であるため、第３及び第４の光無線伝送部を省略して表示装置の多重化制御信号用出力インタフェースと送信装置の多重化制御信号用入力インタフェースとの間を直接に光ケーブルで接続して、表示装置からの光多重化制御信号を単一光で送信装置に伝送することもできる。
【００２７】
また、上記の目的を達成するため、第３の発明は、送信装置から第１の伝送手段を介して表示装置へ到る下り回線は、非圧縮のベースバンドディジタルＨＤ映像信号を伝送するのに必要な程度の高速伝送対応回線であり、表示装置から第２の伝送手段を介して送信装置へ到る上り回線は、多重化制御信号を伝送するのに十分な高速伝送対応回線より低速度の回線であることを特徴とする。この発明では、上り回線及び下り回線共に、伝送する光信号を伝送するのに必要な最低限の特性の回線を使用するため、安価な構成とすることができる。
【００２８】
また、上記の目的を達成するため、第４の発明は、第１の光無線伝送部と第４の光無線伝送部は一体化されて光無線送信部を構成すると共に、第２の光無線伝送部と第３の光無線伝送部は一体化されて光無線受信部を構成し、送信装置と光無線送信部との間にＩ２Ｃ又はＲＳ−２３２Ｃ等の第１の双方向通信用ラインと第１のグランドラインが対となった第１のメタルケーブルを接続すると共に、表示装置と光無線受信部との間にＩ２Ｃ又はＲＳ−２３２Ｃ等の第２の双方向通信用ラインと第２のグランドラインとが対となった第２のメタルケーブルを接続し、第１のメタルケーブルは、第１の光ケーブル及び第４の光ケーブルと一体化されており、第２のメタルケーブルは、第２の光ケーブル及び第３の光ケーブルと一体化されていることを特徴とする。
【００２９】
この発明では、第１のメタルケーブルを光高速シリアル伝送信号伝送用の第１の光ケーブル及び多重化制御信号伝送用の第４の光ケーブルと一体化すると共に、第２のメタルケーブルを光高速シリアル伝送信号伝送用の第２の光ケーブル及び多重化制御信号伝送用の第３の光ケーブルと一体化するようにしたため、強度がメタルケーブルで補強された一体化ケーブルでの双方向伝送ができる。
【００３０】
更に、上記の目的を達成するため、第５の発明は、第１の光無線伝送部と第４の光無線伝送部は一体化されて光無線送信部を構成すると共に、第２の光無線伝送部と第３の光無線伝送部は一体化されて光無線受信部を構成し、送信装置と光無線送信部との間に第１の電源供給ラインと第３のグランドラインが対となった第３のメタルケーブルを接続すると共に、表示装置と光無線受信部との間に第２の電源供給ラインと第４のグランドラインとが対となった第４のメタルケーブルを接続し、第３のメタルケーブルは、第１の光ケーブル及び第４の光ケーブルと一体化されており、第４のメタルケーブルは、第２の光ケーブル及び第３の光ケーブルと一体化されていることを特徴とする。
【００３１】
この発明では、第３のメタルケーブルを光高速シリアル伝送信号伝送用の第１の光ケーブル及び多重化制御信号伝送用の第４の光ケーブルと一体化すると共に、第４のメタルケーブルを光高速シリアル伝送信号伝送用の第２の光ケーブル及び多重化制御信号伝送用の第３の光ケーブルと一体化するようにしたため、強度がメタルケーブルで補強された一体化ケーブルでの双方向伝送ができる。
【発明の効果】
【００３２】
本発明によれば、送信装置と第１の光無線伝送部の間の第１の光ケーブルと、第２の光無線伝送部と表示装置との間の第２の光ケーブルの計２本の光ケーブルと、第１及び第２の光無線伝送部からなる第１の伝送手段を用いて、ディジタル映像信号とディジタル音声信号とが多重化されたビットストリーム信号の光高速シリアル伝送信号を単一光で送信装置から表示装置へ高速伝送することができ、しかも、メタルケーブルを含まないのでＤＶＩ規格やＨＤＭＩ規格のケーブルよりも長距離の伝送ができる。
【００３３】
また、本発明によれば、第１及び第２の光無線伝送部を省略して送信装置の第１の出力インタフェースと表示装置の第１の入力インタフェースとの間を直接に光ケーブルで接続して、送信装置からの光高速シリアル伝送信号を表示装置に伝送することもでき、同様に第３及び第４の光無線伝送部を省略して表示装置の第２の出力インタフェースと送信装置の第２の入力インタフェースとの間を直接に光ケーブルで接続して、表示装置から送信装置への多重化制御信号を光伝送信号で伝送することもできるため、光無線伝送と光ケーブル伝送の接続形態切り替えを容易に実現することができる。
【００３４】
更に、本発明によれば、ディジタル映像信号とディジタル音声信号とが多重化されたビットストリーム信号の光高速シリアル伝送信号を単一光での下り回線で高速伝送を行い、一方、ＡＶ機器としては避けられない表示装置から送信装置へのリモコン制御のコマンド通信等の伝送路を単一光での上り回線として確保するようにしたため、双方向通信としての最低限の光送受信モジュール構成と光ケーブルを用いた、安価で小規模な光伝送システムを構築することができる。
【発明を実施するための最良の形態】
【００３５】
次に、本発明を実施するための最良の形態について図面と共に説明する。図１は本発明になる光伝送システムの第１の実施の形態のシステム構成図を示す。図１に示す実施の形態は、ディジタル映像出力を有するＨＤＴＶ放送受信機あるいはビデオ再生機等のチューナ部１０が光無線送信部３０に送受信ファイバーケーブル２０ａで光ケーブル接続され、また、ディジタル映像入力を有するＴＶモニタ／ビデオプロジェクタ等の表示装置の表示パネル部６０が光無線受信部５０に送受信ファイバーケーブル２０ｂで光ケーブル接続されている。
【００３６】
更に、光無線送信部３０は送受信ファイバーケーブル２０ａからの受信光を一度光／電気変換後、高速で光無線伝送するために、再度電気／光変換してチューナ部１０からのビットストリームをＬＤ（レーザダイオード）等で光無線伝送する。光無線受信部５０では、この光無線伝送された伝送信号をＡＰＤ（アバランシェ・フォトダイオード）５３等で受光後、光／電気変換し、表示パネル部６０へ光伝送するため、再度電気／光変換を行い、送受信ファイバーケーブル２０ｂを介して表示パネル部６０へ伝送する。すなわち、この実施の形態は、共通光送受信モジュールの入出力インタフェースを介して接続した光伝送システムを示す。
【００３７】
この実施の形態では、ディジタル映像出力を有するチューナ部１０では、非圧縮のベースバンドディジタルＨＤ（High-Definition）映像信号とディジタル音声信号に、更に必要に応じて映像信号フォーマットおよび音声信号フォーマット等のディジタル補助制御信号を合成し多重化することで得られるビットストリームを光高速シリアル伝送信号に変換して、光無線伝送手段及び光ケーブルを用いてシリアル伝送し、ディジタル映像入力を有するＴＶモニタ等の表示パネル部６０では、光高速シリアル伝送信号を受信した後、映像信号・音声信号・補助制御信号等を分離し、映像信号と音声信号それぞれを再生することを可能とする光入力インタフェースモジュールであって、１対１の電子機器（チューナ部１０と表示パネル部６０）間を接続するための信号伝送路と接続されて通信を行う光入出力インタフェースモジュールを有する光伝送システムである。
【００３８】
図１のチューナ部１０において、例えば、非圧縮のベースバンドディジタルＨＤ映像信号であるディジタル映像入力信号１は映像信号処理部１１と音声信号処理部１２にそれぞれ供給され、ディジタル音声入力信号２は音声信号処理部１２に供給され、マイコン１Ｄの制御の下にそれぞれ所定の処理を施された後、映像／音声信号合成処理部１３に供給されて両者が合成されてビットストリームとされる。なお、このとき、映像フォーマット・音声フォーマット等に関するディジタル補助信号を、ディジタル映像信号とディジタル音声信号に多重化してもよい。
【００３９】
映像／音声信号合成処理部１３から取り出された合成信号は、８ビット／１０ビット符号化部１４に供給され、ここで受信時のＤＣオフセットを回避するため８ビットのデータが１０ビットのパラレルデータに変換された後、パラレル／シリアル変換部１５によりシリアルデータに変換されて光ファイバー送受信モジュール１６のＬＤドライバ１７に供給される。ＬＤドライバ１７に供給された信号は、光ファィバー送受信モジュール用ＬＤ（レーザダイオード）１８により光信号に変調される。
【００４０】
光ファイバー送受信モジュール用ＬＤドライバ１７と光ファイバー送受信モジュール用ＬＤ（レーザダイオード）１８を含む光ファイバー送受信モジュール１６は、さらに光ファイバー送受信モジュール用ＰＤ（フォトダイオード）１９と光ファイバー送受信モジュール用ＰＤ受信差動アンプ１Ａとを含み、光ファィバー接続コネクタ１Ｅに入力された光信号をＰＤ（フォトダイオード）１９で光／電気変換し、得られた信号を差動アンプ１Ａで差動増幅して上り回線制御信号を得る。この上り回線制御信号は復調処理部１Ｃに供給されて復調処理され、その復調制御信号がマイクロコンピュータ（マイコン）１Ｄに供給され、そのマイコン１Ｄからの制御信号に基づき、映像信号処理部１１と音声信号処理部１２が所定の状態に制御される。
【００４１】
チューナ部１０の光ファイバー接続コネクタ１Ｅと光無線送信部３０の光ファイバーコネクタ３Ｃとの間には、送受信ファイバーケーブル２０ａが接続されており、光ファイバー送受信モジュール用ＬＤ（レーザダイオード）１８からの出力光信号（光高速シリアル伝送信号）は、送受信ファイバーケーブル２０ａ内の非圧縮のベースバンドディジタルＨＤ映像信号を伝送するのに必要な１Ｇｂｐｓ〜２Ｇｂｐｓ程度までの高速伝送可能な下り回線用光ファイバーケーブル２１ａを介して光無線伝送用送信部３０の光ファイバー接続コネクタ３Ｃに接続された光ファイバー送受信モジュール３５内のＰＤ（フォトダイオード）３１に供給されて光／電気変換される。
【００４２】
ＰＤ３１から取り出された受信信号は、光ファイバー送受信モジュール３５内の差動アンプ３２に供給されて差動増幅された後、光無線伝送用送信モジュール３Ｂ内のＬＤドライバ３６に供給され、これにより光無線伝送用送信モジュール３Ｂ内のＬＤ（レーザダイオード）３７を駆動して光信号を出射させる。
【００４３】
ＬＤ３７から出射された光信号は、空中経路４２により光無線伝送用受信部５０の光無線伝送用受信モジュール５１に配置された光無線伝送用受信モジュールＡＰＤ（アバランシェ・フォトダイオード）５３により受光されて光／電気変換される。一方、光無線伝送用送信モジュール３Ｂ内のパイロット光用発光ダイオード（ＬＥＤ）３Ａからはパイロット光が送信され、空中経路４１により光無線伝送用受信モジュール５１内の位置合わせ用４ＰＤ（４分割フォトダイオード）５２により受光されて光／電気変換される。
【００４４】
光無線伝送用受信モジュール５１に配置された光無線伝送用受信モジュールＡＰＤ（アバランシェ・フォトダイオード）５３からの出力信号は、光無線伝送用受信モジュール５１内のＡＰＤ受信リミッタアンプ５５に供給されて所定のレベルとされ、更に光ファイバー送受信モジュール５７に配置された光ファイバー送受信モジュール用ＬＤドライバ５８に供給されて光ファィバー送受信モジュール用ＬＤ（レーザダイオード）５９を駆動する。
【００４５】
光無線受信部５０の光ファイバー接続コネクタ５Ｃと表示パネル部６０の光ファイバーコネクタ６Ｊとの間には、送受信ファイバーケーブル２０ｂが接続されており、光ファイバー送受信モジュール用ＬＤ（レーザダイオード）５９からの光信号は、送受信光ファイバーケーブル２０ｂ内の非圧縮のベースバンドディジタルＨＤ映像信号を伝送するのに必要な１Ｇｂｐｓ〜２Ｇｂｐｓ程度までの高速伝送可能な下り回線用光ファイバーケーブル２１ｂと光ファイバー接続コネクタ６Ｊを介して表示パネル部６０内の光ファイバー送受信モジュール用ＰＤ（フォトダイオード）６２により受光されて光／電気変換される。
【００４６】
ＰＤ６２から取り出された受信信号は、表示パネル部６０の光ファイバー送受信モジュール６１内の差動アンプ６３に供給されて差動増幅された後、シリアル／パラレル変換部６６によりパラレルデータに変換され、更に８ビット／１０ビット復号化部６７により復号化された後、映像／音声信号分離処理部６８に供給されて映像信号と音声信号とに分離される。分離された映像信号は映像信号処理部６９に供給されて所定の信号処理が行われた後、ＬＶＤＳ（Low Voltage Differential Signaling）６Ａで公知の信号処理により所定のレベルとされてから表示パネル６Ｂに供給されて表示される。
【００４７】
一方、分離された音声信号は、音声信号処理部６Ｃにより所定の信号処理を施された後、Ｄ／Ａ変換部６Ｄによりディジタル／アナログ変換されてアナログ音声信号とされ、更にバッファアンプ６Ｅを介して音声信号再生用スピーカ６Ｆに供給されて電気−音響変換されて発音される。
【００４８】
ここで、表示パネル部６０は、リモコン等制御信号処理部６Ｇを備えており、供給された制御信号がマイコン６Ｈに入力される。マイコン６Ｈは、表示パネル部６０側から送信装置であるチューナ部１０側への映像や音声に関するシステム制御信号や表示パネル部６０で発生するリモコンコマンド制御信号を多重化した上り回線制御信号を発生し、これを上り回線制御信号用変調処理部６Ｉに供給して、光伝送に好適な所定の変調処理を施した後、光ファイバー送受信モジュール６１内の光ファィバー送受信モジュール用ＬＤドライバ６４と光ファイバー送受信モジュール用ＬＤ（レーザダイオード）６５により光信号とする。
【００４９】
このＬＤ６５から出射された上り回線制御信号用光信号は、送受信ファイバーケーブル２０ｂ内の制御信号を伝送するのに必要な５０Ｍｂｐｓ程度の伝送対応可能な上り回線用光ファィバーケーブル２２ｂを介して光無線伝送用受信部５０の光ファイバー送受信モジュール５７の光ファイバー送受信モジュール用ＰＤ（フォトダイオード）５Ａにより受光されて光／電気変換される。
【００５０】
ＰＤ５Ａから取り出された電気信号である表示パネル部６０の制御信号は、光ファイバー送受信モジュール用ＰＤ受信差動アンプ５Ｂを経て光無線伝送用受信モジュール５１内の上り回線パイロット光用ＬＥＤドライバ５６に供給され、光無線伝送用受信モジュール５１内の上り回線パイロット光用発光ダイオード（ＬＥＤ）５４を駆動して光信号を出射させる。
【００５１】
ＬＥＤ５４から空中に出射された光信号は、空中路４３を通じて光無線送信部３０内の光無線伝送用送信モジュール４ＰＤ（４分割フォトダイオード）３８により受光されて光／電気変換された後、光無線伝送用送信モジュール４ＰＤ受信リミッタアンプ３９により所定のレベルの制御信号とされる。リミッタアンプ３９から出力された制御信号は、光ファイバー送受信モジュール３５内の光ファイバー送受信モジュール用ＬＤドライバ３３と光ファイバー送受信モジュール用ＬＤ（レーザダイオード）３４により再び光信号とされる。
【００５２】
ＬＤ３４から出射された光信号は、送受信ファイバーケーブル２０ａ内の制御信号を伝送するのに必要な５０Ｍｂｐｓ程度の伝送対応可能な上り回線用光ファイバーケーブル２２ａを介してチューナ部１０内の光ファィバー送受信モジュール用ＰＤ（フォトダイオード）１９により受光されて光／電気変換された後、光ファイバー送受信モジュール用ＰＤ受信差動アンプ１Ａ、アンプ１Ｂ、復調処理部１Ｃを順に経由してマイコン１Ｄに供給され、マイコン１Ｄにより表示パネル部６０の制御信号の内容に応じた所定の制御を行わせる。
【００５３】
なお、光無線送信部３０及び光無線受信部５０の駆動電源は、別途ＡＣアダプタ等により直接供給するか、後述する第４の実施の形態に示すように、前記チューナ部１０及び表示パネル部６０より供給する必要がある。
【００５４】
このように、本実施の形態では、ＴＶ受信機等のチューナ部１０とＰＤＰや液晶パネル等の表示装置の表示パネル部６０との間を接続する手段として、ＤＶＩケーブルによるメタルのシステムケーブルの代わりに、光無線送信部３０及び光無線受信部５０による送受信モジュールとの接続手段と、送受信ファイバーケーブル２０ａ及び２０ｂによる接続手段とを共通の光送受信モジュールを介することで、光無線伝送と光ファイバー伝送の接続形態切り替えを容易に実現することができる。
【００５５】
さらに、本実施の形態では、チューナ部１０から表示パネル部６０への下り回線では、非圧縮のベースバンドＨＤ映像信号を含む伝送信号を単一光での下り回線で高速伝送を行い、一方、ＡＶ機器としては避けられない表示パネル部６０からチューナ部１０へのリモコン制御のコマンド通信等の上り回線では、単一光での上り回線を確保しているため、双方向通信としての最低限の光送受信モジュール構成と光ファイバーケーブルを用いて伝送し得る安価で小規模な光伝送システムを構築することができる。
【００５６】
また、本実施の形態では、上り回線用光ファイバーケーブル２２ａ及び２２ｂは制御信号を伝送するのに必要な５０Ｍｂｐｓ程度の伝送対応可能なケーブルであり、これに接続される上り回線に使用する入出力インタフェースがオーバースペックとならずに、安価な光送受信モジュール１６、３５、５７、６１と、光接続コネクタ１Ｅ、３Ｃ、５Ｃ、６Ｊと、接続用光ファイバーケーブル２０ａ、２０ｂを使用することができる。
【００５７】
次に、本発明の第２の実施の形態について説明する。図２は本発明になる光伝送システムの第２の実施の形態のシステム構成図を示す。同図中、図１と同一構成部分には同一符号を付し、その説明を省略する。図２に示す第２の実施の形態は、図１の第１の実施の形態で用いた光無線送信部３０と光無線受信部５０を用いることなく、１本の送受信ファイバーケ−ブル２０をチューナ部１０の光ファイバーコネクタ１Ｅと表示パネル部６０の光ファイバーコネクタ部６Ｊとの間を接続して映像信号及び音声信号と制御信号を伝送する例である。
【００５８】
この実施の形態は、第１の実施の形態において、チューナ部１０の光ファイバー送受信モジュール１６として光無線受信部５０の光ファイバー送受信モジュール５７と同一のものを用いると共に、表示パネル部６０の光ファイバー送受信モジュール６１として光無線送信部３０の光ファイバー送受信モジュール３５と同一のものを用いるようにしたものであり、これにより図２に示すように、光無線送信部３０と光無線受信部５０を用いることなく、チューナ部１０と表示パネル部６０を送受信ファイバーケーブル２０で直接接続することができる。
【００５９】
次に、本発明の第３の実施の形態について説明する。図３は本発明になる光伝送システムの第３の実施の形態のシステム構成図を示す。同図中、図１と同一構成部分には同一符号を付し、その説明を省略する。図３に示す第３の実施の形態は、第１の実施の形態に比較して、チューナ部１０’にメタル配線用接続コネクタ１Ｆを追加すると共に、表示パネル部６０’にメタル配線用接続コネクタ６Ｋを追加し、更に光無線送信部３０’及び５０’にもメタル配線用接続コネクタ３Ｄ、５Ｄをそれぞれ追加し、メタル配線用接続コネクタ１Ｆと３Ｄ間、及びメタル配線用接続コネクタ５Ｄと６Ｋ間に、Ｉ２Ｃ又はＲＳ−２３２Ｃ等の双方向通信用メタルケーブル４４ａ、４４ｂと、グランド線用メタルケーブル４５ａ、４５ｂで接続した点に特徴がある。
【００６０】
また、光無線送信部３０’と光無線受信部５０’にはそれぞれマイコン３Ｅ、５Ｅが搭載される。その結果、マイコン３Ｅはチューナ部１０’内のマイコン１Ｇと双方向通信用メタルケーブル４４ａを介して接続され、マイコン５Ｅは表示パネル部６０’内のマイコン６Ｌと双方向通信用メタルケーブル４４ｂを介して接続される。
【００６１】
その結果、チューナ部１０’と光無線送信部３０’間では上り回線を通して伝送される下り回線でのデータ伝送エラー情報等の交換が可能となり、該情報を用いての光無線送信部３０’での光軸自動制御や手合わせ制御が可能となる。また、表示パネル部６０’と光無線受信部５０’との間でも同様に、下り回線の伝送エラー情報等の交換が可能となり、光無線受信部５０’での光軸自動制御や手合わせ制御が可能となる。
【００６２】
次に、本発明の第４の実施の形態について説明する。図４は本発明になる光伝送システムの第４の実施の形態のシステム構成図を示す。同図中、図３と同一構成部分には同一符号を付し、その説明を省略する。図４に示す第４の実施の形態は、第３の実施の形態に比較して、チューナ部１０”にメタル配線用接続コネクタ１Ｋを追加すると共に、表示パネル部６０”にメタル配線用接続コネクタ６Ｍを追加し、更に光無線送信部３０”及び５０”にもメタル配線用接続コネクタ３Ｆ、５Ｆをそれぞれ追加し、メタル配線用接続コネクタ１Ｋと３Ｆ間、及びメタル配線用接続コネクタ５Ｆと６Ｍ間に、電源供給用電源ホットラインメタルケーブル４６ａ、４６ｂと、電源グランドラインメタルケーブル４７ａ、４７ｂで接続した点に特徴がある。
【００６３】
その結果、本実施の形態によれば、電源が光無線送信部３０”と光無線受信部５０”にそれぞれ供給可能になり、光無線送信部３０”と光無線受信部５０”とには、ＡＣアダプタ等の直接駆動電源を必要とせず、小型化が可能となる。
【００６４】
なお、本発明は以上の実施の形態に限定されるものではなく、例えば、送信機、表示パネル部、光無線送信部、光無線受信部の各入出力光コネクタを一体型とし、接続を容易にしてもよく、また、送信機、表示パネル部、光無線送信部、光無線受信部の各光送受信モジュールと入出力光コネクタを一体型とし、取り扱いと接続を容易にするようにしてもよい。また、光ファイバー接続によるものと光無線によるものとの伝送手段としての下り回線と上り回線の光ファイバーケーブルを、一対の一体型とし、接続と取り扱いを容易にするようにしてもよい。
【００６５】
更に、図３の第３の実施の形態では、送受信ファイバーケーブル２０ａとＩ２Ｃ又はＲＳ−２３２Ｃ等の双方向通信用メタルケーブル４４ａとグランド線用メタルケーブル４５ａとを一体化し、また、送受信ファイバーケーブル２０ｂとＩ２Ｃ又はＲＳ−２３２Ｃ等の双方向通信用メタルケーブル４４ｂとグランド線用メタルケーブル４５ｂとを一体化することにより、また、図４の実施の形態では、更に電源供給用メタルケーブル４６ａ、４６ｂ及びグランド線用メタルケーブル４７ａ、４７ｂをも送受信ファイバーケーブル２０ａ、２０ｂ等と一体化することより、ファイバーケーブルの強度補強を兼ねることもできる。
【００６６】
また、以上の実施の形態で伝送されるディジタル映像信号及びディジタル音声信号は、本出願人が特願２００３−３０２６８８号にて提案した映像フォーマット・音声フォーマット等に関する補助情報を内容とするディジタル補助信号をディジタル映像信号及びディジタル音声信号に多重化してシリアル伝送する伝送システムを適用して伝送してもよい。
【００６７】
すなわち、この本出願人の提案になる伝送システムでは、光無線伝送装置を用いて非圧縮のベースバンドレベルでのディジタルＨＤ映像信号とディジタル音声信号および映像フォーマット・音声フォーマット等に関するディジタル補助信号を多重化処理してシリアル伝送を行う伝送方法において、単一光による伝送を可能とし、かつ、伝送速度を低減する伝送方法並びに伝送フォーマットとして、映像の垂直同期信号と水平同期信号に於けるブランキング信号の伝送を排除し、最低限送信・受信間の同期伝送を確保するため、送信側からは垂直同期の識別が可能となるトリガ信号と、映像の有効ライン同期の識別が可能となる区切り識別信号と、該有効ライン区間の画素データと最低限必要なディジタル音声信号を含むディジタル補助データを伝送することで伝送容量を減らし、光無線伝送のための伝送フォーマットの最適化を図ることで伝送速度の低減を可能とする。受信側では垂直同期の識別トリガ信号に準拠して、シリアル伝送されたディジタル映像信号とディジタル音声信号を含むディジタル補助信号を各々専用のメモリに一旦格納し、音声信号はエラー訂正等所定の信号処理後、ディジタル補助データによる送信側のサンプリング周波数情報に基づいて生成される音声信号再生用クロックを用いて順次メモリから読み出し、時間伸長によりサンプリング周期にて再生すると共に、映像信号は送信された垂直同期の識別トリガ信号を基準に、再スケーリング用クロックに対する垂直同期での同期化を図り、ディジタル補助データに基づいた映像フォーマットに従い、ブランキング区間を含む垂直同期信号と水平同期信号を付加した上で順次メモリから有効ライン毎の画素データを時間圧縮による読み出し処理を行い、スケーリングし直すことで同期再生を行うものである。
【００６８】
なお、受信側でのシリアルデータ受信クロックは、予め定められた１０ビットワード同期データとして割り振られた映像の有効ライン同期の識別が可能となる区切り識別信号により、セルフクロックが生成される。なお、この識別信号は、有効ライン毎に定期的に送信することで、受信の際のセルフクロックコレクション機能を満足させるためにも使用される。
【００６９】
上記の本出願人の提案になる伝送システムでは、プログレシブ走査方式による非圧縮ベースバンドディジタル映像信号（ＷＸＧＡ信号）を音声信号と共にシリアル伝送する場合は、例えば、図５に示すように、ディジタル映像信号の垂直同期信号用同期データとして定義された第１の同期データ１０１と、ディジタル映像信号の有効ライン識別用同期データとして定義された第２の同期データ１０２などを、ディジタル音声信号１０３、１０４と有効ライン区間のディジタル映像信号１０５に時分割多重した信号フォーマットの伝送信号を伝送する。
【００７０】
この伝送システムでは、映像の有効ライン同期の識別が可能になる区切り識別信号である第２の同期データ１０２により受信側でセルフクロックが生成され、またこの第２の同期データ１０２は有効ライン毎に定期的に伝送されるため、別途クロックを伝送しなくても、受信の際のセルフクロック発振器でのセルフクロックコレクション機能を満足させることができる。
【００７１】
なお、ディジタル映像信号とディジタル音声信号を出力する送信装置であれば、チューナ部１０,１０’、１０”以外でもよく、また、ディジタル映像入力を有するＴＶモニタ／ビデオプロジェクタ等の表示装置であれば表示パネル部６０に限定されない。
【図面の簡単な説明】
【００７２】
【図１】本発明の第１の実施の形態のシステム構成図である。
【図２】本発明の第２の実施の形態のシステム構成図である。
【図３】本発明の第３の実施の形態のシステム構成図である。
【図４】本発明の第４の実施の形態のシステム構成図である。
【図５】本出願人の先の提案の伝送システムにおける伝送信号の一例のフォーマットを示す概略構成図である。
【図６】従来の光伝送システムの一例のシステム構成図である。
【符号の説明】
【００７３】
１０、１０’、１０”  チューナ部
１１、６９  映像信号処理部
１２、６Ｃ  音声信号処理部
１３  映像／音声信号合成処理部
１４  ８ビット／１０ビット符号化部
１５  パラレル／シリアル変換部
１６、３５、５７、６１  光ファイバー送受信モジュール
１７、３３、３６、５８、６４  ＬＤドライバ
１８、３４、３７、５９、６５  レーザダイオード（ＬＤ）
１９、３１、５Ａ、６２  フォトダイオード（ＰＤ）
１Ａ、３２、５Ｂ  差動アンプ
１Ｃ  上り回線制御信号復調処理部
１Ｄ、１Ｇ、３Ｅ、５Ｅ、６Ｈ、６Ｌ  マイクロコンピュータ（マイコン）
１Ｅ、３Ｃ、５Ｃ、６Ｊ  光ファイバー接続コネクタ
１Ｆ、１Ｋ、３Ｄ、３Ｆ、５Ｄ、５Ｆ、６Ｋ、６Ｍ  メタル配線用接続コネクタ
２０ａ、２０ｂ、２０  送受信ファイバーケーブル
２１ａ、２１ｂ、２１  下り回線用光ファイバーケーブル
２２ａ、２２ｂ、２２  上り回線用光ファイバーケーブル
３０、３０’、３０”  光無線送信部
３８  ４分割フォトダイオード（４ＰＤ）
３９、５５  リミッタアンプ
３Ａ  下り回線パイロット光用発光ダイオード（ＬＥＤ）
３Ｂ  光無線伝送用送信モジュール
４４ａ、４４ｂ  Ｉ２Ｃ又はＲＳ−２３２Ｃ等の双方向通信用メタルケーブル
４５ａ、４５ｂ、４７ａ、４７ｂ  グランド線用メタルケーブル
４６ａ、４６ｂ  電源供給用メタルケーブル
５０、５０’、５０”  光無線受信部
５１  光無線伝送用受信モジュール
５２  位置合わせ用４分割フォトダイオード（４ＰＤ）
５３  アバランシェ・フォトダイオード（ＡＰＤ）
５４  上り回線パイロット光用発光ダイオード（ＬＥＤ）
５６  ＬＥＤドライバ
６０、６０’、６０”  表示パネル部
６６  シリアル／パラレル変換部  
６７  ８ビット／１０ビット復号化部
６８  映像／音声分離処理部
６Ａ  ＬＶＤＳ（Low Voltage Differential Signaling）
６Ｂ  表示パネル
６Ｄ  音声信号用Ｄ／Ａ変換部
６Ｅ  音声信号用バッファアンプ
６Ｆ  スピーカ
６Ｇ  リモコン等制御信号処理部
６Ｉ  変調処理部
【図１】
2005167867.tif 000004
【図２】
2005167867.tif 000005
【図３】
2005167867.tif 000006
【図４】
2005167867.tif 000007
【図５】
2005167867.tif 000008
【図６】
2005167867.tif 000009